(57)【要約】【課題】特に編み機のためのニードルセット１７において、バットが異なる長さを有していても、カムエレメント又はセレクトエレメントとニードルのバットとが衝突することによって、編み機の機械エレメントがダメージを受けることが避けられるように構成されたニードルを提供する。【解決手段】編成部の一部である少なくとも２つのニードル１８，１９を有しており、これらのニードル１８，１９がそれぞれシャンク２２，２３を有しており、これらのニードル１８，１９から横方向にバット２８，２９が延びており、前記ニードル１８，１９が異なるバット高さを有しており、２つのニードル１８，１９のバット２８，２９に予め規定された破壊ポイント５７，５８がそれぞれ設けられていて、それによって２つのニードル１８，１９のバット２８，２９が破壊抵抗に関連して異なって構成されている。【選択図】図４
2004176247.tif 000002
【特許請求の範囲】
【請求項１】
殊に編み機のためのニードルセット（１７）において、編成部の一部である少なくとも２つのニードル（１８，１９）を有しており、これらのニードル（１８，１９）がそれぞれシャンク（２２，２３）を有しており、これらのニードル（１８，１９）から横方向にバット（２８，２９）が延びており、前記ニードル（１８，１９）が異なるバット高さを有しており、２つのニードル（１８，１９）のバット（２８，２９）に予め規定された破壊ポイント（５７，５８）がそれぞれ設けられていて、それによって２つのニードル（１８，１９）のバット（２８，２９）が破壊抵抗に関連して異なって構成されていることを特徴とする、ニードルセット。
【請求項２】
より長いバット（２８）に配属された、予め規定された破壊ポイント（５７）が、より短いバット（２９）に配属された、予め規定された破壊ポイント（５８）よりも大きい破壊トルクを規定している、請求項１記載のニードルセット。
【請求項３】
２つのニードル（１８，１９）の予め規定された破壊ポイント（５７，５８）の寸法が互いに異なっている、請求項１記載のニードルセット。
【請求項４】
２つのニードル（１８，１９）の予め規定された破壊ポイント（５７，５８）の位置が互いに異なっている、請求項１記載のニードルセット。
【請求項５】
ニードル（１８，１９）の予め規定された破壊ポイント（５７，５８）が、バットの自由端部において同じ破壊力を規定する、請求項１記載のニードルセット。
【請求項６】
予め規定された破壊ポイント（５７，５８）が線状の凹部（５１，５２，５３，５４）によって構成されており、該凹部が、各バット（２８，２９）の少なくとも１つのフラット・サイド（３２，３３，３４，３５）に形成されている、請求項１記載のニードルセット。
【請求項７】
予め規定された破壊ポイント（５７，５８）が線状の凹部（５１，５２，５３，５４）によって構成されており、該凹部が、各バット（２８，２９）の両方のフラット・サイド（３２，３３，３４，３５）に形成されている、請求項１記載のニードルセット。
【請求項８】
２つのフラット・サイド（３２，、３３，３４，３５）の凹部（５１，５２，５３，５４）が互いに平行に延びている、請求項７記載のニードルセット。
【請求項９】
前記凹部（５１，５２，５３，５４）が、ニードルシャンク（２２，２３）の長手方向に関連してほぼ平行に延びている、請求項６記載のニードルセット。
【請求項１０】
ニードル（１８，１９）の凹部（５１，５２，５３，５４）が同じ曲率半径（Ｒ）を有している、請求項６記載のニードルセット。
【請求項１１】
ニードル（１８，１９）の凹部（５１，５２，５３，５４）が異なる深さを有している、請求項６記載のニードルセット。
【発明の詳細な説明】
【技術分野】
【０００１】
本発明は、特に編み機のためのニードルセットに関する。
【背景技術】
【０００２】
編み機のニードルは、一般的に平らな材料より形成された細長いシャンクを有しており、このシャンクから横方向に複数のバットが延びている。これらのバットは、針溝内でリニア状（線状）に移動するために用いられる。バットは、ニードルに又はニードルを受容する針床に関連したカムの相対的な運動によってカム溝を通って移動し、それによってニードルのリニア状の移動が行われる。一般的に、これは確実に機能するが、バットとカムの一部とが衝突すると、ニードルカムの構成部材が誤ってコントロールされることに基づいて、その他の不測の事態が生じることがある。これは、編み機の機械部分、特にカム又は針床にダメージが与えられることになるので、避けなければならない。針床は複数の個体より構成されており、これらの個体に、比較的狭い配列に従って接近して配置された複数の溝が切り込まれており、これの溝が針溝を形成している。横方向でニードルをガイドする各溝間に仕切が設けられている。故障が発生した場合も、前記のような仕切にダメージが与えられるのを避けるか、又は針床にその他のダメージが与えられるのを避ける必要がある。
【０００３】
編み機のためのニードルは、特開昭６２０１９１８８８号公報により公知であり、この公知のニードルは予め規定された破壊ポイントを有している。これらの破壊ポイントは、バットの細長い狭い側面に形成されたノッチ（切り込み溝）によって形成されており、このノッチはバットの特に弱い箇所を形成する。このノッチによって形成された、バットの弱い箇所はバットとカムエレメントとが衝突すると破断されるので、針床に対するダメージは広い範囲で避けられる。
【０００４】
さらにまた、異なるバット長さのニードルを必要とする編み機が存在している。例えばこのようなニードルは、同じ針床のニードルが編成プロセスの異なる長さのコースに亘って移動せしめられる場合に要求される。この場合、短いバットよりも、長いバットが、別のカムエレメントと係合する傾向にある。
【特許文献１】特開昭６２０１９１８８８号公報
【発明の開示】
【発明が解決しようとする課題】
【０００５】
そこで本発明の課題は、バットが異なる長さを有していても、カムエレメント又はセレクトエレメントとニードルのバットとが衝突することによって、編み機の機械エレメントがダメージを受けることは、避けることができるように構成されたニードルを提供することである。
【課題を解決するための手段】
【０００６】
この課題を解決した本発明の、編み機のためのニードルセットによれば、編成部の一部である少なくとも２つのニードルを有しており、これらのニードルがそれぞれシャンクを有しており、これらのニードルから横方向にバットが延びており、前記ニードルが異なるバット高さを有しており、２つのニードルのバットに予め規定された破壊ポイントがそれぞれ設けられていて、それによって２つのニードルのバットが破壊抵抗に関連して異なって構成されている。
【発明の効果】
【０００７】
本発明によれば、ニードルファミリー又はニードルセットは、少なくとも２つ有利には３つ又はそれ以上のニードルを有しており、これらのニードルのループ形成エレメントが形状が同じ、しかしながらこれらのニードルのバットが異なる長さを有している。バットは、予め規定された破壊ポイントを備えていて、この破壊ポイントが異なる破壊抵抗を形成するようになっている。破壊抵抗が大きければ、ニードルをその長手方向軸線を中心にして回転させる破壊プロセス中に、相対的により大きい破壊トルクが形成される。この破壊トルクは、針床によって吸収されなければならない。ニードルファミリー又はニードルセットの異なるニードルが異なる破壊トルクを有することになる。これは、発生する最大の破壊トルクが針溝又は針床にダメージを与えることはない。他方では、破壊トルクは有利には、各バット端部又はバット先端において異なる破壊トルクを形成するために、特にバットの長さを考慮してほぼ同じ大きさの力が要求されるように設定されている。このような手段によって次第に、カムエレメントへのダメージが避けられるようになっている。予め規定された破壊ポイントは、ニードルの軸方向位置でバットに歪みが発生することに基づいてつまり駆動力が伝達されることに基づいて発生する破壊トルクに関連して、ニードルセットのすべてのニードルが、発生可能な最大の駆動力にも永久的に耐えられるように寸法設定されている。
【０００８】
予め規定された破壊ポイントは、最大可能な破壊トルクが、より短いバットを備えたニードルのためよりも、より長いバットを備えたニードルのために要求されるように設計されている。これによって、予め規定された破壊ポイントを、異なるニードル型式において、その寸法及び／又はその形状及び／又はその位置に関連して異なって構成することができる。より長いバットのより大きい破壊トルクは、主に、バットのフラット・サイド上でほぼ垂直方向に延びる、バットに作用する歪みに関連している。駆動トルクに関連して、バットの破壊抵抗は有利にはほぼ同じである。これは、予め規定された破壊ポイントが凹部によって形成されていて、この凹部が、ニードルの長手方向に関連してほぼ平行に各バットのフラット・サイドに形成されていることによって得られる。これらの凹部は、駆動力（ニードルに沿って）の伝達に関連してバットを著しく弱める。しかしながらこれらの凹部は、ニードルに関連して横方向でバットに歪みが生じた場合に、破壊をより容易にする。これによって、ニードルの耐用年数及び操作性を制限することなしに、針床及びカムを特に良好に保護することができる。
【０００９】
互いに及びニードルの長手方向に関連して平行に形成され、かつ針床の外側に配置された凹部は、有利には、破壊ポイントと同様に両フラット・サイドに形成されている。従ってこれらの凹部は、ニードルシャンクからバットへの移行部の領域にほぼ配置されているか、又はニードルシャンクから小さい間隔を保って配置されている。またこれらの凹部は有利には、バットのフラット・サイドに関連して垂直に延びる共通平面上に配置されている。付加的に、予め規定された破壊ポイントがカムと針床との間の領域に配置されていれば有利である。このようにして、ニードルが破壊されることによる機械へのダメージを避けることができる。
【００１０】
予め規定された破壊ポイントは、例えば横断面が丸い溝によって形成されている。有利には、ニードルファミリーのニードルの予め規定されたすべての破壊ポイントの半径は、同じであるが、各凹部の深さは異なっている。破壊抵抗は、深さの程度によって調整することができる。この場合、凹部の長さはバットの幅に対応しており、つまり有利には凹部はバットのフラット・サイド全体に亘って延びている。
【００１１】
針床は、長いバットを備えたニードルに配属された本発明によるニードルセットに作用する比較的大きい破壊トルクを容易に吸収することができるので、長いバットも確実かつ堅固にニードルシャンクに固定することができる。他方では、短いバットを備えたニードルの低い破壊トルクは、所望の駆動力を伝達するために及び要求された耐用年数を得るために十分である。
【００１２】
本発明のその他の有利な実施態様は、図面、実施例の説明又は請求項に記載されている。
【発明を実施するための最良の形態】
【００１３】
次に図面に示した実施例を用いて本発明を具体的に説明する。
【００１４】
図１にはニードル１のグループが図示されており、このニードル１のグループは、シンカ２と、前記第１のニードル１に関連して横方向に配置された別のニードル３と共に、編み機の編成システムを形成している。ニードル１はカム４によって駆動される。これらのカム４の一部はカムエレメント５，６，７である。カムエレメント５，６，７は、そのガイド面８，９，１１でカム溝１２を形成している。このカム溝１２は、カム溝１２内に突入するバット１４，１５，１６を有するニードル１を駆動するために使用される。
【００１５】
ニードル１は、図４，６，８にニードル１８，１９，２１として図示された３つのニードルを有するニードルファミリー又はニードルセット１７より成っている。例えば図１に示したニードル１は、ニードルセット７のニードル１８，１９，２１を有している。各ニードル１８，１９，２１は、端部でフックを備えたシャンク２２，２３，２４を有している。ニードル１８，１９，２１は例えばべら針として構成されているので、べら２５，２６，２７は、フックを制御しながら開閉するために、それぞれフックの近傍で回転可能に取り付けられている。
【００１６】
バット２８，２９，３１は、各ニードル１８，１９，２１のシャンク２２，２３，２４上に成形されており、これらのバット２８，２９，３１は、シャンク２２，２３，２４と同様に、平らな材料（平鋼）より成っていて、シャンク２２，２３，２４へのシームレス（継ぎ目無し）な移行部を形成している。図５，図６及び図９に図示されているように、各バット２８，２９，３１は、２つのフラット・サイド（平らな側面）３２，３３，３４，３５，３６，３７を有しており、これらのフラット・サイドは、互いに平行に延びていて、ニードルシャンク２２，２３，２４のフラット・サイドに移行している。側面図では、バット２８，２９，３１はほぼ四角形に構成されている。これらのバットの真っ直ぐに延びるナロウ・サイド（狭い側面）４１，４２，４３，４４，４５，４６は、図４，図６及び図８に示されているようにシャンクへの移行部を形成している。これらのナロウ・サイド４１４２，４３，４４，４５，４６にはノッチも凹部を形成されていない。しかしながら、フラット・サイド３２，３３，３４，３５，３６，３７は凹部５１，５２，５３，５４を備えており、これらの凹部は、所定の破壊ポイント５７，５８，５９を規定している。この場合、凹部は、各フラット・サイド３２，３３，３４，３５，３６，３７の全長に亘って延びていて、各ナロウ・サイド４１，４２，４３，４４，４５，４６で終わっている。これらの凹部は真っ直ぐに延びていて、各シャンク２２，２３，２４に対してほぼ平行に延びている。またこれらの凹部は、対応する位置に、つまりニードル背部からの間隔Ａがそれぞれ等しくなるように、配置されている（図５、図７、図８）。
【００１７】
有利には凹部５１，５２，５３，５４、５５，５６は丸溝の形状を有しており、この丸溝の曲率半径Ｒは、すべてのニードル１８，１９，２１で同じである。さらに３つのすべてのニードル１８，１９，２１の溝の側面は、互いに同じ角度αを成している。凹部５１，５２の深さは互いに一致している。同様に、凹部５３，５４の深さも、凹部５５，５６の深さも、互いに一致している。しかしながら凹部５１，５２の深さは、凹部５３，５４の深さよりも小さい。また凹部５３，５４の深さは、凹部５５，５６の深さよりも小さい。この所定の破壊ポイント５５，５６によって、異なる破壊トルクが規定される。
【００１８】
長さＬ１，Ｌ２，Ｌ３以外は、ニードル１８，１９，２１は同じである。バット２８の長さＬ１が最も大きい。凹部５１，５２の深さが最も小さい。予め規定された破壊ポイント５７の破壊抵抗は、ニードル１９，２１と比較して最も大きい。バット２９の長さＬ２は、バット２８の長さＬ１よりも小さい。
【００１９】
ニードルセット１７のバット３１の長さＬ３が最も小さい。また予め規定された破壊ポイント５９の破壊抵抗が最も小さい。この場合、破壊抵抗は、フラット・サイド３２，３３，３４，３５，３６，３７に関連して垂直に延びるひずみによって各バット２８，２９，３１を破壊させるために要求された破壊トルクに関連しており、一方、シャンク２２，２３，２４は堅固に保持されている。しかしながら、各バット２８，２９，３１をシャンクの長手方向で負荷する駆動力（この駆動力のベクトルは、フラット・サイド３２，３３，３４，３５，３６，３７に関連して垂直に延びている）に関して、バット２８，２９，３１は、ほぼ同じである。その理由は、凹部５１，５２，５３，５４，５５，５６が線状（ｌｉｎｅａｒ）に配向されているためである。
【００２０】
ニードルセット１７のニードル１８，１９，２１は、間違って制御されてバット２８，２９，３１が制御された状態で分離された場合に、編み機がダメージを受けないように編み機を保護する。これに関しては、図２及び図３に示したニードル１８，１９を参照されたい。
【００２１】
針床６１はニードルセット１７のニードル１８，１９を収容している。ニードル１８，１９のシャンク２２，２３は、針溝６２，６３内に挿入固定されており、この針溝６２，６３は、ニードル配分に対応して規則的な間隔を保って配置されていて、同様に構成されている。シャンク２２，２３は、針溝の側面に沿ってガイドされている。バット２８，２９のナロウ・サイド（狭い側）は、カム溝の対応するガイド面１１ａ，１１ｂ上に延びていて、これらのガイド面１１ａ，１１ｂに接触している。ガイド面１１ａ，１１ｂは、異なって構成されていてもよい。従ってニードル１８は、ニードル１９とは異なる運動を行う。この実施例において、ニードル、針溝、カム軌道は、カムと針床６１との間の平面Ｅ上に配置されている。バット２８と、カムの一部であるエレメントとが衝突すると、例えばバット２８の端部に力Ｆが導入される。この力は、針溝６２内に支持反力Ｒ１，Ｒ２を生ぜしめる。この反力Ｒ１，Ｒ２の大きさは、所定の破壊ポイント４７の破壊トルクによって制限されている。これは特に、ガイド面１１ａ，１１ｂに関連してほぼ平行に作用する破壊力Ｆに当てはまる。この場合、所定の破壊ポイント５７の破壊トルクは、針溝６２のダメージが避けられ、バット２８があらかじめ規定された破壊ポイント５７でほぼスムーズに切断され、即ち細かい破片が生じるような破壊は裂けられるように、設定されている。ニードルは２つの部分、つまりシャンク部分とバット部分とに分割される。破壊の際の破片によって編み機の部分がダメージを受けることはほとんど避けられる。
【００２２】
図平面に対してほぼ垂直に作用し、ひいてはシャンク２２に関連して平行に作用する駆動力が、所定の破壊ポイント５７における破壊を生ぜしめることはない。これは特に、凹部が所定の破壊ポイント５７が駆動力に対してほぼ平行に、しかし破壊力Ｆに関連して横方向に延びているからである。
【００２３】
ニードル１９は、著しく低い破壊トルクを有している。破壊力Ｆがバット２９に作用した時に、針溝６３の側面によって吸収される支持反力Ｒ３，Ｒ４も相応に低い。そのために、所定の破壊ポイント５８はかなり目立つものでなければならない。つまり許容される破壊トルクは、所定の破壊ポイント５７における破壊トルクよりも小さい。バット２９は、ニードル１９が少なくともニードル１８と同じ駆動力を要求するにも拘わらず、要求された駆動力をニードル１９に伝達することが分かった。
【００２４】
幾何学的な形状がほぼ同じである、ニードルセット１７のニードル１８，１９は異なる長さのバット２８，２９を有しており、これらのバット２８，２９は、所定の破壊ポイント５７，５８を有している。所定の破壊ポイントは異なる形状で構成されているので、ニードルセット１７の一部であるニードル１８，１９のバット２８，２９の破壊トルクは、異なっている。これによって、一方では編み機がダメージを受けることは確実に避けられ、しかも他方ではニードルの信頼できる操作が保証される。
【図面の簡単な説明】
【００２５】
【図１】編み機のニードル及び針カムを備えた編成システムの概略的な斜視図である。
【図２】針床、カム溝及び長いバットを備えたニードルの概略的な断面図である。
【図３】針床、カム溝及び短いバットを備えたニードルの概略的な断面図である。
【図４】ニードルセットの一部である長いバットを備えたニードルの側面図である。
【図５】図４に示したニードルのＶ−Ｖ線に沿った断面図である。
【図６】中間的なバットを備えたニードルセットのイードルの側面図である。
【図７】図６に示したニードルのＶＩＩ−ＶＩＩ線に沿った断面図である。
【図８】ニードルセットの一部である短いバットを備えたニードルの側面図である。
【図９】図９に示したニードルのＩＸ−ＩＸ線に沿った断面図である。
【符号の説明】
【００２６】
１  ニードル、  ２  シンカ、  ３  ニードル、  ４  カム、  ５，６，７  カムエレメント、  ８，９，１１，１１ａ、１１ｂ  ガイド面、  １２  カム溝、  １４，１５，１６  バット、  １７  ニードルファミリー、ニードルセット、  １８，１９，２０  ニードル、  ２２，２３，２４  シャンク、  ２５，２６，２７  べら、  ２８，２９，３１  バット、  ３２，３３，３４，３５，３６，３７  フラット・サイド、  ４１，４２，４３，４４，４５，４６  ナロウ・サイド、  ５１，５２，５３，５４，５５，５６  凹部、  ６１  針床、  ６２，６３  針溝、  Ａ  間隔、  Ｅ  平面、  Ｆ  破壊を生ぜしめる力、  Ｌ１，Ｌ２，Ｌ３  長さ、  Ｒ１，Ｒ２，Ｒ３，Ｒ４  支持反力、  Ｒ  曲率半径、  α  角度
【図１】
2004176247.tif 000003
【図２】
2004176247.tif 000004
【図３】
2004176247.tif 000005
【図４】
2004176247.tif 000006
【図５】
2004176247.tif 000007
【図６】
2004176247.tif 000008
【図７】
2004176247.tif 000009
【図８】
2004176247.tif 000010
【図９】
2004176247.tif 000011